(57)【要約】【課題】病床移動（ベッド移動）や転科等により変更された患者の患者情報を表示可能な表示パネル付ナースコール親機の患者名表示部に取り付けられたタッチパネルをタッチ操作することにより、患者情報が変更された患者が使用するナースコール子機と表示パネル付ナースコール親機との間で通話を行う。【解決手段】病床移動（ベッド移動）や転科等により変更された患者の患者情報を、院内ネットワーク１３からナースコール用パソコン１２を介して転送され処理されてくる患者情報をもとに表示パネル付ナースコール親機１１の患者名表示部２１にて表示させる。また、患者名表示部に取り付けられたタッチパネルをタッチ操作し、当該患者名表示部にて表示された患者名が位置するタッチパネル部分を選択することにより、患者情報が変更された患者が使用するナースコール子機１ａ〜４ａ、１ｂ〜４ｂ、・・・とナースコール親機との間で通話を行う。【選択図】  図１
2004275602.tif 000002
【特許請求の範囲】
【請求項１】
各病室の病室内に設置されたナースコール子機（１ａ〜４ａ、１ｂ〜４ｂ、・・・）からの患者の呼び出しに対して、各病室の出入口近傍に設置された集合廊下灯（１０ａ、１０ｂ、・・・）、病院内に設置されたナースコール制御機（１４）を介してナースセンター内に設置された表示パネル付ナースコール親機（１１）にて報知・表示させるナースコール装置において、
前記表示パネル付ナースコール親機は、プラズマディスプレイ、液晶ディスプレイ等の患者名表示部（２１）を有し、
前記患者の患者情報が情報変更の都度、予め記憶されている院内ネットワーク（１３）から前記患者の患者情報が転送されてきたとき、前記患者の情報変更を前記患者名表示部にて表示可能に処理し、処理された情報を前記患者名表示部にて表示させるためのナースコール用パーソナルコンピュータ（１２）を備えたことを特徴とするナースコール装置。
【請求項２】
各病室の病室内に設置されたナースコール子機（１ａ〜４ａ、１ｂ〜４ｂ、・・・）からの患者の呼び出しに対して、各病室の出入口近傍に設置された集合廊下灯（１０ａ、１０ｂ、・・・）、病院内に設置されたナースコール制御機（１４）を介してナースセンター内に設置された表示パネル付ナースコール親機（１１’）にて報知・表示させるナースコール装置において、
前記表示パネル付ナースコール親機は、プラズマディスプレイ、液晶ディスプレイ等の患者名表示部（２１）を有し、
前記表示パネル付ナースコール親機は、前記患者の患者情報が情報変更の都度、予め記憶されている院内ネットワーク（１３）から前記患者の患者情報が転送されてきたとき、前記患者の情報変更を前記患者名表示部にて表示可能に処理し、処理された情報を前記患者名表示部にて表示させるためのＣＰＵ（２３）を備えたことを特徴とするナースコール装置。
【請求項３】
前記表示パネル付ナースコール親機は、前記患者名表示部にて表示された患者名が位置するタッチパネル部分をタッチ操作して選択することにより、前記ナースコール子機との間で通話を行うためのタッチパネル（２２）を前記患者名表示部に取り付けたことを特徴とする請求項１または請求項２記載のナースコール装置。
【発明の詳細な説明】
【０００１】
【発明の属する技術分野】
本発明はナースコール装置に係り、特に、病床移動（ベッド移動）や転科等により変更された患者の患者変更をナースコール親機にて表示させることができるナースコール装置に関する。
【０００２】
【従来の技術】
従来から、この種のナースコール装置として、各病室の病室内の（病床毎の）患者がナースセンター内に在室中の看護師を呼び出すためにナースコール子機にて呼出操作を行い、この呼出操作を検出した集合廊下灯からナースコール制御機を介して伝送されてくる呼出信号を検出した（ボード型の）ナースコール親機にて呼び出しがある旨を報知・表示させ、これを確認して応答した呼出先の看護師と呼出元の患者との間で通話を行うことができるナースコール装置が開示されている（例えば、非特許文献１）。
【０００３】
【非特許文献１】アイホン総合カタログ  ２００２／２００３年版（４７８〜４７９頁、４９０〜４９１頁）
【０００４】
【発明が解決しようとする課題】
しかしながら、従来例のナースコール装置において、患者の患者情報を表示させるために備えられるナースコール親機の表示部は、患者名等が記載された複数のプレートを有するパネルユニットにて構成されていることから、病床移動（ベッド移動）や転科等で患者の患者情報を変更するためには、該当するプレートを差し替える等の煩雑な作業が必要であった。
【０００５】
本発明は、上述の難点を解消するためになされたもので、病床移動（ベッド移動）や転科等により変更された患者の患者情報を表示可能な表示パネル付ナースコール親機の患者名表示部に取り付けられたタッチパネルをタッチ操作することにより、患者情報が変更された患者が使用するナースコール子機と表示パネル付ナースコール親機との間で通話を行うことができるナースコール装置を提供することを目的としている。
【０００６】
【課題を解決するための手段】
上述の目的を達成するため、本発明のナースコール装置は、各病室の病室内に設置されたナースコール子機からの患者の呼び出しに対して、各病室の出入口近傍に設置された集合廊下灯、病院内に設置されたナースコール制御機を介してナースセンター内に設置された表示パネル付ナースコール親機にて報知・表示させる装置である。表示パネル付ナースコール親機は、プラズマディスプレイ、液晶ディスプレイ等の患者名表示部を有する。患者の患者情報が情報変更の都度、予め記憶されている院内ネットワークから患者の患者情報が転送されてきたとき、患者の情報変更を患者名表示部にて表示可能に処理し、処理された情報を患者名表示部にて表示させるためのナースコール用パーソナルコンピュータを備えている。
【０００７】
このようなナースコール装置によれば、病床移動（ベッド移動）や転科等により変更された患者の患者情報を、院内ネットワークからナースコール用パーソナルコンピュータを介して転送され処理されてくる患者情報をもとにプラズマディスプレイや液晶ディスプレイ等で構成される表示パネル付ナースコール親機の患者名表示部にて表示させることができる。
【０００８】
また、本発明のナースコール装置は、各病室の病室内に設置されたナースコール子機からの患者の呼び出しに対して、各病室の出入口近傍に設置された集合廊下灯、病院内に設置されたナースコール制御機を介してナースセンター内に設置された表示パネル付ナースコール親機にて報知・表示させる装置である。表示パネル付ナースコール親機は、プラズマディスプレイ、液晶ディスプレイ等の患者名表示部を有し、患者の患者情報が情報変更の都度、予め記憶されている院内ネットワークから患者の患者情報が転送されてきたとき、患者の情報変更を患者名表示部にて表示可能に処理し、処理された情報を患者名表示部にて表示させるためのＣＰＵを備えている。
【０００９】
このようなナースコール装置によれば、病床移動（ベッド移動）や転科等により変更され、院内ネットワークから転送されてくる患者の患者情報を、表示パネル付ナースコール親機のＣＰＵにて処理し、処理した患者情報をプラズマディスプレイや液晶ディスプレイ等で構成される患者名表示部にて表示させることができる。
【００１０】
また、本発明のナースコール装置において、表示パネル付ナースコール親機は、患者名表示部にて表示された患者名が位置するタッチパネル部分をタッチ操作して選択することにより、ナースコール子機との間で通話を行うためのタッチパネルを患者名表示部に取り付けている。
【００１１】
このようなナースコール装置によれば、表示パネル付ナースコール親機の患者名表示部に取り付けられたタッチパネルをタッチ操作し、当該患者名表示部にて表示された患者名が位置するタッチパネル部分を選択することにより、患者情報が変更された患者が使用するナースコール子機と表示パネル付ナースコール親機との間で通話を行うことができる。
【００１２】
【発明の実施の形態】
以下、本発明のナースコール装置を適用した好ましい形態の実施例について、図面を参照して説明する。
【００１３】
図１は、本発明の実施例によるナースコール装置を示すシステム構成図である。
【００１４】
図１のシステム構成図に示すナースコール装置は、Ａ号室、Ｂ号室、・・・のような各病室の病室内に設置されており、（病床毎の）患者がナースセンター内に在室中の看護師を呼び出して通話を行うための個別の子機番号を有するナースコール子機、ここでは、病室毎４台づつ設置されたナースコール子機１ａ〜４ａ、１ｂ〜４ｂ、・・・と、各病室の出入口近傍に設置されており、子機ラインＬ１ａ〜Ｌ４ａ、Ｌ１ｂ〜Ｌ４ｂ、・・・を介して接続されたナースコール子機１ａ〜４ａ、１ｂ〜４ｂ、・・・からの呼び出しを検出し、その旨の表示（詳述せず）を行うとともに通話路を形成するための集合廊下灯１０ａ、１０ｂ、・・・と、ナースセンター内に設置されており、ナースコール子機１ａ〜４ａ、１ｂ〜４ｂ、・・・からの呼び出しを検出し、その旨の報知・表示を行うとともに、これを確認して応答した看護師が呼出元の患者との間で通話を行うための表示パネル付ナースコール親機１１と、コンピュータラインＬ１２を介して接続された表示パネル付ナースコール親機１１とともにナースセンター内に設置されているデスクトップ型、ノート型、または携帯型のナースコール用パーソナルコンピュータ（以下、ナースコール用パソコンという。）１２と、ネットワークラインＬ１３を介してナースコール用パソコン１２へと接続されており、（病床毎の）患者の患者情報が予め記憶されているサーバ等の院内ネットワーク１３と、病院内（の共用部）に設置されており、廊下灯ラインＬ１０を介してバス接続された集合廊下灯１０ａ、１０ｂ、・・・、親機ラインＬ１１を介して接続された表示パネル付ナースコール親機１１をそれぞれ制御するためのナースコール制御機１４とから構成されている。
【００１５】
また、表示パネル付ナースコール親機１１は、ナースコール子機１ａ〜４ａ、１ｂ〜４ｂ、・・・からの呼び出しがある旨、すなわち、呼出操作を行った（病床の）患者からの呼び出しがある旨を呼出音の出力により報知し、この呼出音を確認したナースセンター内に在室中の看護師が応答して通話を行うための音声を入出力する呼出・通話部２０と、（病床の）患者からの呼び出しがある旨をナースコール子機１ａ〜４ａ、１ｂ〜４ｂ、・・・毎に予め割り当てられている表示灯を点滅／点灯させて呼出元の患者の患者名を表示するとともに、病床移動（ベッド移動）や転科等で患者の患者情報が変更される都度、院内ネットワーク１３からネットワークラインＬ１３、ナースコール用パソコン１２、パソコンラインＬ１２を介して転送され処理されてくる患者の患者情報を表示させるための例えば、プラズマディスプレイ、液晶ディスプレイ等の患者名表示部２１と、患者名表示部２１に取り付けられており、患者名表示部２１にて表示された患者名が位置するタッチパネル部分を看護師がタッチ操作して選択することにより、患者名に該当したナースコール子機１ａ〜４ａ、１ｂ〜４ｂ、・・・の通話機能および呼出・通話部２０の間で通話を行うためのタッチパネル２２とを備えている。
【００１６】
このように構成された本発明の実施例によるナースコール装置において、以下、具体的な動作について説明する。
【００１７】
なお、本発明の実施例において、各病室の病室内の（病床毎の）患者がナースセンター内に在室中の看護師を呼び出して通話を行うための動作、すなわち、ナースコール子機１ａ〜４ａ、１ｂ〜４ｂ、・・・からナースコール親機１１を呼び出して通話を行うための動作は、従来例の該当動作と同様であることから、説明を省略する。
【００１８】
図１のシステム構成図において、病床移動（ベッド移動）や転科等で変更された患者の患者情報、ここでは、当初、Ａ号室内でナースコール子機１ａが設置されている病床の患者がＢ号室内でナースコール子機１ｂが設置されている病床へと病床移動（ベッド移動）を行った場合、ナースコール用パソコン１２は、院内ネットワーク１３からネットワークラインＬ１３を介して転送されてくる病床移動（ベッド移動）により変更された患者の患者情報を、表示パネル付ナースコール親機１１の患者名表示部２１にて表示可能なデータ（以下、患者情報表示データという。）へと処理する。この患者情報表示データは、パソコンラインＬ１２を介して表示パネル付ナースコール親機１１へと伝送される。
【００１９】
また、表示パネル付ナースコール親機１１は、ナースコール用パソコン１２からの患者情報表示データをもとに、病床移動（ベッド移動）等で変更された患者の患者情報、ここでは、Ｂ号室内でナースコール子機１ｂが設置されている病床へと病床移動（ベッド移動）を行った患者の患者情報を患者名表示部２１の該当部へと表示させることができ、このとき、Ａ号室内でナースコール子機１ａが設置されている病床の該当部には、通常、空き状態である旨が表示される。
【００２０】
次に、表示パネル付ナースコール親機１１の患者名表示部２１へと表示された患者情報に該当する患者名、すなわち、Ｂ号室内でナースコール子機１ｂが設置されている病床の患者が位置する（患者名表示部２１に取り付けられた）タッチパネル２２のタッチパネル部分をナースセンター内に在室中の看護師がタッチ操作して選択すると、この選択操作を検出した表示パネル付ナースコール親機１１は、ナースコール子機１ｂに予め割り当てられている子機番号を付加した通話制御信号を親機ラインＬ１１へと出力する。この通話制御信号は、親機ラインＬ１１、ナースコール制御機１４、廊下灯ラインＬ１０を介して集合廊下灯１０ａ、１０ｂ、・・・へとそれぞれ伝送される。
【００２１】
また、集合廊下灯１０ａ、１０ｂ、・・・は、表示パネル付ナースコール親機１１からの通話制御信号に付加されている子機番号と自廊下灯へ子機ラインＬ１ａ〜Ｌ４ａ、Ｌ１ｂ〜Ｌ４ｂ、・・・を介して接続されるナースコール子機１ａ〜４ａ、１ｂ〜４ｂ、・・・に予め割り当てられている子機番号とをそれぞれ照合し、一致したナースコール子機の通話機能と当該子機ライン、当該集合廊下灯、廊下灯ラインＬ１０、ナースコール制御機１４、親機ラインＬ１１を介してナースコール親機１１の呼出・通話部２０との間の通話路を形成する。ここでは、Ｂ号室内のナースコール子機１ｂのみ子機番号が一致して上述の通話路が形成され、この通話路を介して音声信号を送受信させることにより、ナースセンター内に在室中の看護師は、患者情報が変更された患者、すなわち、Ｂ号室内でナースコール子機１ｂが設置されている病床の患者との間で通話を行って当該患者を容易に確認することができる。
【００２２】
なお、本発明の実施例では、表示パネル付ナースコール親機１１の患者名表示部２１にて表示させる病床移動（ベッド移動）や転科等により変更された患者の患者情報として、院内ネットワーク１３からネットワークラインＬ１３、ナースコール用パソコン１２、パソコンラインＬ１２を介して転送され処理されてくる患者情報を利用したが、院内ネットワーク１３からの患者情報を表示パネル付ナースコール親機１１の患者名表示部２１にて表示させる処理を行う部位はナースコール用パソコン１２に限定されず、図２のシステム構成図に示すように、上述の処理を行う部位として表示パネル付ナースコール親機１１’に備えられたＣＰＵ２３にて行うこともでき、この表示パネル付ナースコール親機１１’をナースセンター内に設置するにあたり、ナースコール用パソコン１２の設置およびパソコンラインＬ１２の配線が不要となり当該装置の施工コストを削減することができる。
【００２３】
【発明の効果】
以上の説明から明らかなように、本発明のナースコール装置によれば、病床移動（ベッド移動）や転科等により変更された患者の患者情報を、院内ネットワークからナースコール用パーソナルコンピュータ（ナースコール用パソコン）を介して転送され処理されてくる患者情報、または院内ネットワークから転送され表示パネル付ナースコール親機のＣＰＵにて処理した患者情報をもとにプラズマディスプレイや液晶ディスプレイ等で構成される（表示パネル付ナースコール親機）の患者名表示部にて表示させることができることから、この患者名表示部には最新の患者情報が常時表示される。
【００２４】
また、表示パネル付ナースコール親機の患者名表示部に取り付けられたタッチパネルをタッチ操作し、当該患者名表示部にて表示された患者名が位置するタッチパネル部分を選択することにより、患者情報が変更された患者が使用するナースコール子機と表示パネル付ナースコール親機との間で通話を行うことができる。
【図面の簡単な説明】
【図１】本発明の実施例によるナースコール装置を示すシステム構成図である。
【図２】本発明の他の実施例によるナースコール装置を示すシステム構成図である。
【符号の説明】
１ａ〜４ａ、１ｂ〜４ｂ、・・・  ・・・・・ナースコール子機
１０ａ、１０ｂ、・・・、・・・・・集合廊下灯
１１、１１’・・・・・表示パネル付ナースコール親機
２１・・・・・患者名表示部
２２・・・・・（患者名表示部に取り付けられた）タッチパネル
２３・・・・・ＣＰＵ
１２・・・・・ナースコール用パーソナルコンピュータ（ナースコール用パソコン）
１３・・・・・院内ネットワーク
１４・・・・・ナースコール制御機
【図１】
2004275602.tif 000003
【図２】
2004275602.tif 000004